(57)【特許請求の範囲】
【請求項１】
熱源機にて温調した熱媒体を空調部に循環供給する空調システムであって、
前記空調部は、第１グループに属する複数の第１空調部と第２グループに属する複数の第２空調部とにグループ分けされ、
前記熱源機からの熱媒体を、前記第１空調部、前記第２空調部の順に流通させる形態で、前記熱源機から前記空調部に熱媒体を循環供給する循環供給部と、
前記熱源機からの熱媒体の一部を、前記第１空調部をバイパスして前記第２空調部に供給するバイパス部と、
前記第１グループにおける空調負荷と前記第２グループにおける空調負荷との負荷状況に基づいて、前記バイパス部による熱媒体のバイパス流量を調整するバイパス流量調整部とが備えられ、
前記循環供給部において前記熱源機から前記第１空調部に熱媒体を流通させる部位における熱媒体の圧力が設定圧力になるように、前記熱源機から前記空調部に供給する熱媒体の流量を調整自在な熱媒体ポンプが備えられ、
前記空調部の夫々には、自己の個別空調負荷を賄えるだけの熱媒体を取り込むように、取り込む熱媒体の流量を調整する取込流量調整部が備えられ、
前記第２グループに対する熱媒体の流通量が必要量よりも不足することが想定される負荷状況である場合には、前記バイパス流量調整部が、前記バイパス流量を増加側に調整している空調システム。
【請求項２】
前記第２グループに対する熱媒体の流通量が必要以上に過大となることが想定される負荷状況である場合には、前記バイパス流量調整部が、前記バイパス流量を減少側に調整している請求項１に記載の空調システム。
【請求項３】
前記取込流量調整部の夫々における調整状態から、前記空調部の夫々についての個別空調負荷を求める演算部が備えられ、
前記バイパス流量調整部は、前記個別空調負荷を前記負荷状況として取得するように構成されている請求項１又は２に記載の空調システム。
【発明の詳細な説明】
【技術分野】
【０００１】
本発明は、熱源機にて温調した熱媒体を空調部に循環供給する空調システムに関する。
【背景技術】
【０００２】
上記空調システムでは、空調部を、第１グループに属する第１空調部と第２グループに属する第２空調部とにグループ分けし、熱源機から第１空調部及び第２空調部に熱媒体を循環供給して、第１空調部及び第２空調部の夫々にて、熱媒体を利用して冷房や暖房等の空調運転を行っている（例えば、特許文献１参照。）。
【０００３】
この特許文献１に記載のシステムでは、熱源機から第１空調部及び第２空調部に熱媒体を循環供給するときの熱媒体の流通形態として、熱源機からの熱媒体を第１空調部と第２空調部とに並列的に流通させる通常形態と、熱源機からの熱媒体を、第１空調部、第２空調部の順に段階的に流通させる非通常形態とに切換自在に構成されている。非通常形態では、第１空調部にて熱利用された熱媒体を、再度、第２空調部にて熱利用でき、省エネルギー性の向上を図ることができる。
【先行技術文献】
【特許文献】
【０００４】
【特許文献１】特許第５４８６４２５号公報
【発明の概要】
【発明が解決しようとする課題】
【０００５】
しかしながら、上記特許文献１に記載のシステムでは、熱源機からの熱媒体の全量が、第１空調部を流通した後、第２空調部に流通されるので、第１グループにおける空調負荷に応じて第１グループに対する熱媒体の流通量を調整すると、第２グループに対する熱媒体の流通量も変化して、第２グループに対する熱媒体の流通量が必要量よりも不足してしまい、第２グループの空調負荷を賄えなくなることがある。
【０００６】
例えば、第１グループの空調負荷が変化せず、第２グループの空調負荷が増加した場合には、第１グループに対する熱媒体の流通量を増加させないと、第２グループに対する熱媒体の流通量が必要量よりも不足して、第２グループの空調負荷を賄えなくなる。また、例えば、第１グループの空調負荷が小さくなるに伴って第１グループに対する熱媒体の流通量を減少させると、第１グループでは、その空調負荷を賄えるだけの熱媒体の流通量に調整できるものの、第２グループに対する熱媒体の流通量も減少することになり、第２グループに対する熱媒体の流通量が必要量よりも不足して、第２グループの空調負荷が賄えなくなる。
【０００７】
この実情に鑑み、本発明の主たる課題は、省エネルギー性の向上を図りながら、複数の空調部の空調負荷を適切に賄うことができる空調システムを提供する点にある。
【課題を解決するための手段】
【０００８】
本発明の第１特徴構成は、熱源機にて温調した熱媒体を空調部に循環供給する空調システムにおいて、
前記空調部は、第１グループに属する複数の第１空調部と第２グループに属する複数の第２空調部とにグループ分けされ、前記熱源機からの熱媒体を、前記第１空調部、前記第２空調部の順に流通させる形態で、前記熱源機から前記空調部に熱媒体を循環供給する循環供給部と、前記熱源機からの熱媒体の一部を、前記第１空調部をバイパスして前記第２空調部に供給するバイパス部と、前記第１グループにおける空調負荷と前記第２グループにおける空調負荷との負荷状況に基づいて、前記バイパス部による熱媒体のバイパス流量を調整するバイパス流量調整部とが備えられ、
前記循環供給部において前記熱源機から前記第１空調部に熱媒体を流通させる部位における熱媒体の圧力が設定圧力になるように、前記熱源機から前記空調部に供給する熱媒体の流量を調整自在な熱媒体ポンプが備えられ、
前記空調部の夫々には、自己の個別空調負荷を賄えるだけの熱媒体を取り込むように、取り込む熱媒体の流量を調整する取込流量調整部が備えられ、
前記第２グループに対する熱媒体の流通量が必要量よりも不足することが想定される負荷状況である場合には、前記バイパス流量調整部が、前記バイパス流量を増加側に調整している点にある。
【０００９】
本構成によれば、循環供給部が、熱源機からの熱媒体を、第１空調部、第２空調部の順に流通させる形態で、熱源機から空調部に熱媒体を循環供給するので、第１空調部にて熱利用された熱媒体を、再度、第２空調部にて熱利用することができ、省エネルギー性の向上を図ることができる。
【００１０】
しかも、バイパス部を備えることで、熱源機からの熱媒体を、第１空調部を通して第２空調部に流通させるだけでなく、バイパス路を通して第１空調部をバイパスして第２空調部に流通させることができる。よって、第１グループに対する熱媒体の流通量よりも多量の熱媒体を第２グループに対して流通させることができる。そして、バイパス流量調整部は、第１グループにおける空調負荷と第２グループにおける空調負荷との負荷状況に基づいて、バイパス路における熱媒体のバイパス流量を調整するので、第１グループの空調負荷と第２グループの空調負荷とがどのような大小関係となっているか等の負荷バランスに応じて、第１グループに対する熱媒体の流通量と第２グループに対する熱媒体の流通量とをバランスよく調整することができる。例えば、第１グループの空調負荷が変化せず、第２グループの空調負荷が増加した場合でも、第２グループに対する熱媒体の流通量を増加させて、第２グループの空調負荷を賄えるだけの流通量を確保できる。その結果、第１グループの空調負荷も第２グループの空調負荷も適切に賄うことができる。
【００１１】
本発明は、前記空調部の夫々には、自己の空調負荷に応じて、取り込む熱媒体の流量を調整する取込流量調整部が備えられ、前記取込流量調整部の夫々における調整状態から、前記空調部の夫々についての個別空調負荷を求める演算部が備えられ、前記バイパス流量調整部は、前記個別空調負荷を前記負荷状況として取得するように構成されていると好適である。
【００１２】
本構成によれば、取込流量調整部は、自己の空調負荷に応じて、取り込む熱媒体の流量を調整するので、演算部は、取込流量調整部の調整状態がどのような調整状態となっているのかを把握するだけで、空調部の夫々についての個別空調負荷を簡易に且つ正確に求めることができる。よって、バイパス流量調整部は、演算部にて求められた個別空調負荷から、第１グループにおける空調負荷と第２グループにおける空調負荷との負荷状況を正確に把握でき、第１グループの空調負荷及び第２グループの空調負荷を適切に賄えるように、バイパス路における熱媒体のバイパス流量の調整を適切に行える。
【００１３】
本発明は、前記バイパス流量調整部は、前記第１グループにおける前記個別空調負荷が低下し且つ前記第２グループにおける前記個別空調負荷が第１設定値以上の場合に、前記バイパス流量を増加側に調整するように構成されていると好適である。
【００１４】
上述の如く、複数の空調部の夫々では、自己の空調負荷が変化すると、その変化に応じて取込流量調整部が熱媒体の取込流量を調整するので、バイパス流量調整部は、その変化後の個別空調負荷を取得できる。これにより、バイパス流量調整部は、第１グループの空調負荷と第２グループの空調負荷との変化後の負荷状況を把握している。そこで、本構成によれば、第１グループにおける個別空調負荷が低下し且つ第２グループにおける個別空調負荷が第１設定値以上であると、第１グループの空調負荷と第２グループの空調負荷との変化後の負荷状況が、第２グループに対する熱媒体の流通量が必要量よりも不足することが想定される負荷状況であるとしている。このような場合には、バイパス流量調整部が、バイパス流量を増加側に調整するので、第２グループに対する熱媒体の流通量を増加させて、第２グループの空調負荷を適切に賄える。
【００１５】
本発明は、前記バイパス流量調整部は、前記第１グループにおける前記個別空調負荷が増加し且つ前記第２グループにおける前記個別空調負荷が第２設定値以下の場合に、前記バイパス流量を減少側に調整するように構成されていると好適である。
【００１６】
本構成によれば、第１グループにおける個別空調負荷が増加し且つ第２グループにおける個別空調負荷が第２設定値以下であると、第１グループの空調負荷と第２グループの空調負荷との変化後の負荷状況が、第２グループに対する熱媒体の流通量が必要以上に過大となることが想定される負荷状況であるとしている。このような場合には、バイパス流量調整部が、バイパス流量を減少側に調整するので、第２グループに対する熱媒体の流通量を減少させて、第２グループの空調負荷を賄えるだけの流通量に調整できるとともに、第１グループに対する熱媒体の流通量を増加させて、第１グループの空調負荷を適切に賄える。
本発明の第２特徴構成は、前記第２グループに対する熱媒体の流通量が必要以上に過大となることが想定される負荷状況である場合には、前記バイパス流量調整部が、前記バイパス流量を減少側に調整している点にある。
本発明の第３特徴構成は、前記取込流量調整部の夫々における調整状態から、前記空調部の夫々についての個別空調負荷を求める演算部が備えられ、
前記バイパス流量調整部は、前記個別空調負荷を前記負荷状況として取得するように構成されている点にある。
【図面の簡単な説明】
【００１７】
【図１】第１実施形態における空調システムの全体概略構成を示す図
【図２】第２実施形態における空調システムの全体概略構成を示す図
【図３】別実施形態における空調システムの全体概略構成を示す図
【発明を実施するための形態】
【００１８】
本発明に係る空調システムの実施形態を図面に基づいて説明する。
〔第１実施形態〕
この空調システムは、図１に示すように、熱媒体を温調自在な熱源機１と、熱媒体を熱利用して空調運転を行う空調部２と、熱源機１から空調部２に熱媒体を循環供給する循環供給部３と、空調システムを制御する制御部４とが備えられている。
【００１９】
熱源機１は、冷熱源と温熱源とを備えており、冷熱源が有する冷熱にて熱媒体を冷却する冷却運転と、温熱源が有する温熱にて熱媒体を加熱する加熱運転とを実行可能に構成されている。熱源機１は、冷却運転において、冷熱源から熱媒体に与える冷熱量を調整して、熱媒体を冷却用設定温度に冷却させ、加熱運転において、温熱源から熱媒体に与える温熱量を調整して、熱媒体を加熱用設定温度に加熱させる。
【００２０】
空調部２は、熱媒体が有する冷熱を熱利用して空調対象空間を冷房する冷房運転と、熱媒体が有する温熱を熱利用して空調対象空間を暖房する暖房運転とを実行可能に構成されている。空調部２は、第１グループに属する第１空調部２ａと第２グループに属する第２空調部２ｂとにグループ分けされている。このグループ分けについては、冷房運転を行う際に熱利用する熱媒体の要求温度が第１グループの方が第２グループよりも低くなり、且つ、暖房運転を行う際に熱利用する熱媒体の要求温度が第１グループの方が第２グループよりも高くなるように設定されている。
【００２１】
図１では、例えば、第１グループの第１空調部２ａを、熱媒体と熱搬送体との熱交換により熱媒体の熱利用を行う熱交換部とし、第２グループの第２空調部２ｂを、熱媒体とファンにて送風させる空気との熱交換により熱媒体の熱利用を行う空調機として図示しているが、例えば、第１空調部２ａ及び第２空調部２ｂの両方を空調機とすることもでき、第１空調部２ａ及び第２空調部２ｂは、どのような空調部にて構成するかは適宜変更が可能である。また、第１空調部２ａと第２空調部２ｂの数についても適宜変更が可能であり、第１空調部２ａと第２空調部２ｂを同数だけ備えたり、第１空調部２ａ及び第２空調部２ｂの一方側を他方側よりも多数になるように備えることもできる。
【００２２】
循環供給部３は、熱源機１から複数の第１空調部２ａの夫々に熱媒体を供給する往路３１と、複数の第１空調部２ａの夫々と複数の第２空調部２ｂの夫々とを接続する中間路３２と、複数の第２空調部２ｂの夫々から熱源機１に熱媒体を戻す復路３３とを備えている。
【００２３】
循環供給部３は、熱源機１、往路３１、第１空調部２ａ、中間路３２、第２空調部２ｂ、復路３３、熱源機１の順に熱媒体を流通させることで、熱源機１からの熱媒体を、第１空調部２ａ、第２空調部２ｂの順に流通させる形態で、熱源機１から空調部２に熱媒体を循環供給している。
【００２４】
往路３１は、熱源機１に接続された上流側部位３１ａと、その上流側部位３１ａから分岐した複数の下流側部位３１ｂとを備えており、複数の下流側部位３１ｂの夫々が複数の第１空調部２ａの夫々に接続されている。
【００２５】
中間路３２は、複数の第１空調部２ａの夫々に接続された複数の上流側部位３２ａと、複数の上流側部位３２ａが合流した中間部位３２ｂと、その中間部位３２ｂから分岐した複数の下流側部位３２ｃとを備えており、複数の下流側部位３２ｃの夫々が複数の第２空調部２ｂの夫々に接続されている。
【００２６】
復路３３は、複数の第２空調部２ｂの夫々に接続された上流側部位３３ａと、複数の上流側部位３３ａが合流した下流側部位３３ｂとを備えており、下流側部位３３ｂが熱源機１に接続されている。
【００２７】
複数の第２空調部２ｂの夫々に対して、中間路３２からの熱媒体を第２空調部２ｂをバイパスして復路３３に供給自在な第２空調部バイパス路３４が備えられている。この第２空調部バイパス路３４は、その上流側端部が中間路３２の下流側部位３２ｃに接続され、且つ、その下流側端部が復路３３の上流側部位３３ａに接続されている。第２空調部バイパス路３４は、中間路３２にて第２空調部２ｂに熱媒体を供給する手前箇所にて、その熱媒体の少なくとも一部を、第２空調部２ｂをバイパスして復路３３に供給自在に構成されている。
【００２８】
中間路３２の上流側部位３２ａの夫々には、複数の第１空調部２ａの夫々に取り込む熱媒体の流量を調整自在な第１取込流量調整弁５（取込流量調整部に相当する）が備えられている。第２空調部バイパス路３４と復路３３の上流側部位３３ａとの接続箇所には、複数の第２空調部２ｂの夫々に取り込む熱媒体の流量を調整自在な第２取込流量調整弁６（取込流量調整部に相当する）が備えられ、この第２取込流量調整弁６は、三方弁にて構成されている。第２取込流量調整弁６は、複数の第２空調部２ｂの夫々に取り込む熱媒体の流量を調整することで、第２空調部バイパス路３４における熱媒体のバイパス流量も調整している。
【００２９】
この空調システムには、循環供給部３に加えて、熱源機１からの熱媒体の一部を、第１空調部２ａをバイパスして第２空調部２ｂに供給するバイパス路７（バイパス部に相当する）が備えられている。バイパス路７は、その上流側端部が往路３１の上流側部位３１ａに接続され、且つ、その下流側端部が中間路３２の中間部位３２ｂに接続され、往路３１の熱媒体の一部を、第１空調部２ａをバイパスして中間路３２を介して第２空調部２ｂに供給している。バイパス路７には、バイパス路７による熱媒体のバイパス流量を調整自在なバイパス流量調整弁８が備えられている。
【００３０】
以下、空調システムの動作について説明する。
第１空調部２ａ及び第２空調部２ｂの空調部２は、空調要求として冷房要求が要求されると、冷房運転を行う。制御部４は、冷房要求が要求されると、熱源機１を冷却運転させて、熱源機１から空調部２に冷熱を有する熱媒体を循環供給する。
【００３１】
また、空調部２は、空調要求として暖房要求が要求されると、暖房運転を行う。制御部４は、暖房要求が要求されると、熱源機１を加熱運転させて、熱源機１から空調部２に温熱を有する熱媒体を循環供給する。
【００３２】
複数の空調部２の夫々は、自己の個別空調負荷に応じて、取り込む熱媒体の流量を調整している。第１空調部２ａでは、自己の個別空調負荷の大きさに応じて、自己の個別空調負荷を賄えるだけの熱媒体を取り込むように、第１取込流量調整弁５の開閉状態を調整している。第１空調部２ａでは、自己の個別空調負荷を賄えるだけの熱媒体の流量を、往路３１の上流側部位３１ａから下流側部位３１ｂを通して取り込み、その取り込んだ熱媒を熱利用して中間路３２の上流側部位３２ａに流出させる。第２空調部２ｂでは、自己の個別空調負荷の大きさに応じて、自己の個別空調負荷を賄えるだけの熱媒体を取り込むように、第２取込流量調整弁６の開閉状態を調整している。第２空調部２ｂでは、自己の個別空調負荷を賄えるだけの熱媒体の流量を、中間路３２の中間部位３２ｂから下流側部位３２ｃを通して取り込み、その取り込んだ熱媒を熱利用して復路３３の上流側部位３３ａに流出させる。このとき、第２空調部２ｂの個別空調負荷に対して余剰な熱媒体は、中間路３２の下流側部位３２ｃから、第２空調部バイパス路３４を通して第２空調部２ｂをバイパスして、復路３３の上流側部位３３ａに流通される。
【００３３】
ちなみに、図示は省略するが、熱源機１又は往路３１には、熱源機１から空調部２に供給する熱媒体の流量を調整自在な熱媒体ポンプが備えられ、往路３１における熱媒体の圧力が一定の設定圧力になるように、熱媒体ポンプの出力が調整されている。空調部２の空調負荷が増加して空調部２における熱媒体の取り込み流量が増加するに伴って、往路３１における熱媒体の圧力が低下することから、熱源機１から空調部２への熱媒体の供給量が増加される。また、空調部２の空調負荷が減少して空調部２における熱媒体の取り込み流量が減少するに伴って、往路３１における熱媒体の圧力が増大することから、熱源機１から空調部２への熱媒体の供給量が減少される。
【００３４】
制御部４には、複数の空調部２の夫々についての個別空調負荷を求める演算部９が備えられている。上述の如く、複数の空調部２の夫々では、自己の個別空調負荷の大きさに応じて、第１取込流量調整弁５又は第２取込流量調整弁６の開閉状態を調整しているので、自己の個別空調負荷の大きさに応じて、第１取込流量調整弁５又は第２取込流量調整弁６の開閉状態（調整状態）が変化する。そこで、演算部９は、第１取込流量調整弁５及び第２取込流量調整弁６の開閉状態（調整状態）から、複数の空調部２の夫々についての個別空調負荷を求めている。そして、演算部９は、リアルタイムで又は設定周期が経過する毎に、第１取込流量調整弁５及び第２取込流量調整弁６の開閉状態（調整状態）から、複数の空調部２の夫々についての個別空調負荷を求めている。
【００３５】
制御部４は、演算部９にて求めた複数の空調部２の夫々についての個別空調負荷を把握しており、その個別空調負荷から、第１グループ全体での第１グループ空調負荷、及び、第２グループ全体での第２グループ空調負荷を求めている。このようにして、制御部４は、演算部９にて求めた個別空調負荷を、第１グループ空調負荷と第２グループ空調負荷との負荷状況として取得している。また、制御部４は、その個別空調負荷から、第１グループ空調負荷及び第２グループ空調負荷に加えて、複数の空調部２の全体での全体空調負荷も求めることができることから、全体空調負荷も取得可能に構成されている。
【００３６】
第１グループの空調負荷が第２グループの空調負荷よりも大きく、第１グループの空調負荷と第２グループの空調負荷との負荷バランスが適切にバランスしている状態では、バイパス路７を通して熱媒体を流通させずに、熱源機１からの熱媒体を、第１空調部２ａ、第２空調部２ｂの順に流通させるだけで、第１グループに対する熱媒体の流通量として必要量を確保できるとともに、第２グループに対する熱媒体の流通量も必要量を十分に確保できる。
【００３７】
しかしながら、例えば、第２グループの空調負荷が第１グループの空調負荷よりも大きくなる等、第１グループの空調負荷と第２グループの空調負荷との負荷バランスがアンバランスな状態となると、第２グループに対する熱媒体の流通量が必要量よりも不足することが想定される。そこで、制御部４は、第１グループにおける第１グループ空調負荷と第２グループにおける第２グループ空調負荷との負荷状況に基づいて、バイパス流量調整弁８にてバイパス路７による熱媒体のバイパス流量を調整しており、バイパス流量調整弁８と制御部４とからバイパス流量調整部を構成している。
【００３８】
複数の空調部２の夫々では、自己の空調負荷が変化すると、その変化に応じて第１取込流量調整弁５又は第２取込流量調整弁６が熱媒体の取込流量を調整するので、制御部４は、複数の空調部２の夫々における個別空調負荷を取得することで、その変化後の個別空調負荷も取得している。そこで、第１グループの空調負荷と第２グループの空調負荷との変化後の負荷状況が、第２グループに対する熱媒体の流通量が必要量よりも不足することが想定される負荷状況である場合には、制御部４が、バイパス流量調整弁８にてバイパス流量を増加側に調整して、第２グループに対する熱媒体の流通量を増加させている。
【００３９】
制御部４は、第１グループ空調負荷が低下し且つ第２グループにおける第２空調部２ｂの個別空調負荷が第１設定値以上の場合に、バイパス流量調整弁８にてバイパス流量を増加側に調整する。例えば、第１空調部２ａの個別空調負荷が１つでも低下すると、制御部４が、第１グループ空調負荷が低下していると判別できる。また、例えば、第２空調部２ｂの個別空調負荷が１つでも第１設定値以上の状態で設定時間継続すると、制御部４が、第２グループにおける第２空調部２ｂの個別空調負荷が第１設定値以上であると判別できる。第１設定値は、例えば、第２取込流量調整弁６の開閉状態（調整状態）を、第２空調部２ｂへの熱媒体の流通量が最大流通量となる開閉状態に調整していることに相当する。
【００４０】
このように、制御部４は、第１グループ空調負荷と第２グループ空調負荷との変化後の負荷状況が、第２グループの第２空調部２ｂへの熱媒体の流通量が不足することが想定される負荷状況であるか否かを、リアルタイムで又は設定周期が経過する毎に繰り返し判別している。そして、制御部４は、第２グループの第２空調部２ｂへの熱媒体の流通量が不足することが想定される負荷状況であると判別すると、バイパス流量調整弁８にてバイパス路７による熱媒体のバイパス流量を増加側に調整する。これにより、バイパス路７を通して第２空調部２ｂに供給する熱媒体の流量を増加させ、第２グループの第２空調部２ｂへの熱媒体の流通量を増加させて、第２グループの第２空調部２ｂに対する熱媒体の流通量として十分な量を確保して、第２グループの第２空調部２ｂの空調負荷を適切に賄うことができる。
【００４１】
そして、バイパス流量調整弁８を開状態としてバイパス路７にて熱媒体を流通させている場合においても、上述の如く、第２グループの第２空調部２ｂへの熱媒体の流通量が不足することが想定される負荷状況となると、制御部４は、更に、バイパス流量調整弁８の開度を大きくして、バイパス流量調整弁８にてバイパス路７による熱媒体のバイパス流量を増加側に調整している。
【００４２】
また、バイパス流量調整弁８を開状態としてバイパス路７にて熱媒体を流通させている場合に、バイパス流量調整弁８にてバイパス路７による熱媒体のバイパス流量を増加側に調整するだけでなく、バイパス流量調整弁８にてバイパス路７による熱媒体のバイパス流量を減少側にも調整する。
【００４３】
制御部４は、第１グループ空調負荷が増加し且つ第２グループにおける第２空調部２ｂの個別空調負荷が第２設定値以下の場合に、バイパス流量調整弁８にてバイパス流量を減少側に調整する。例えば、第１空調部２ａの個別空調負荷が１つでも増加すると、制御部４が、第１グループ空調負荷が増加していると判別できる。また、例えば、第２空調部２ｂの個別空調負荷の全てが第２設定値以下の状態で設定時間継続すると、制御部４が、第２グループにおける第２空調部２ｂの個別空調負荷が第２設定値以下であると判別できる。第２設定値は、例えば、第２取込流量調整弁６の開閉状態（調整状態）を、第２空調部２ｂへの熱媒体の流通量が最大流通量に対して８０％となる開閉状態に調整していることに相当する。
【００４４】
このように、制御部４は、第１グループ空調負荷と第２グループ空調負荷との変化後の負荷状況が、第２グループの第２空調部２ｂへの熱媒体の流通量が必要以上に過大となることが想定される負荷状況であるか否かを、リアルタイムで又は設定周期が経過する毎に繰り返し判別している。そして、制御部４は、第２グループの第２空調部２ｂへの熱媒体の流通量が必要以上に過大となることが想定される負荷状況であると判別すると、バイパス流量調整弁８にてバイパス路７による熱媒体のバイパス流量を減少側に調整する。これにより、バイパス路７を通して第２空調部２ｂに供給する熱媒体の流量を減少させることで、第２グループの第２空調部２ｂに対する熱媒体の流通量を減少させて、第２グループの空調負荷を賄えるだけの流通量に調整できるとともに、第１グループの第１空調部２ａに対する熱媒体の流通量を増加させて、第１グループの空調負荷も適切に賄える。
【００４５】
以上の如く、第１グループの空調負荷と第２グループの空調負荷との負荷バランスがアンバランスな状態となっても、第１グループ空調負荷と第２グループ空調負荷との負荷状況に基づいて、バイパス流量調整弁８にてバイパス路７による熱媒体のバイパス流量を調整することで、第１グループに対する熱媒体の流通量と第２グループに対する熱媒体の流通量とをバランスよく調整して、第１グループの空調負荷も第２グループの空調負荷も適切に賄うことができる。
【００４６】
〔第２実施形態〕
上記第１実施形態では、図１に示すように、第２空調部２ｂに取り込む熱媒体の流量を調整するために、第２取込流量調整弁６として三方弁を備え、複数の第２空調部２ｂの夫々において、第２空調部２ｂの個別空調負荷に対して余剰な熱媒体を第２空調部２ｂをバイパスさせるために、第２空調部バイパス路３４を備えている。
【００４７】
これに代えて、この第２実施形態では、図２に示すように、第２取込流量調整弁６として、二方弁６ａを備え、第２グループの第２空調部２ｂで共通の第２グループバイパス路３４ａを備えている。第２実施形態では、その他の構成等について、上記第１実施形態と同様であるので、以下、第２取込流量調整弁６ａ及び第２グループバイパス路３４ａについて説明を加える。
【００４８】
上記第１実施形態では、複数の第２空調部２ｂの夫々における余剰な熱媒体を、複数の第２空調部２ｂの夫々において第２空調部バイパス路３４に流通させて、第２空調部２ｂをバイパスさせている。それに対して、この第２実施形態では、複数の第２空調部２ｂの夫々における余剰な熱媒体を集めて、１つの第２グループバイパス路３４ａに流通させて、第２空調部２ｂをバイパスさせている。
【００４９】
第２グループバイパス路３４ａは、その上流側端部が中間路３２の中間部位３２ｂに接続され、且つ、その下流側端部が復路３３の下流側部位３３ｂに接続されている。第２グループバイパス路３４ａは、第１空調部２ａ及びバイパス路７からの熱媒体を複数の第２空調部２ｂの全てをバイパスして熱源機１に戻すように構成されている。
【００５０】
そして、第２グループバイパス路３４ａには、第２バイパス流量調整弁３５が備えられ、第２グループバイパス路３４ａにおける熱媒体のバイパス流量を調整自在に構成されている。
【００５１】
この第２実施形態でも、上記第１実施形態と同様に、第２空調部２ｂでは、自己の個別空調負荷の大きさに応じて、自己の個別空調負荷を賄えるだけの熱媒体を取り込むように、第２取込流量調整弁（二方弁）６ａの開閉状態を調整している。これにより、第２空調部２ｂの個別空調負荷に対して余剰な熱媒体は、中間路３２の中間部位３２ｂから、第２グループバイパス路３４ａを通して第２空調部２ｂをバイパスして、復路３３の下流側部位３３ｂに流通される。
【００５２】
ここで、熱源機１からの熱媒体は、循環供給部３によって、第１グループの第１空調部２ａ、第２グループの第２空調部２ｂの順に流通されることから、例えば、第１グループ空調負荷が第２グループ空調負荷よりも大きい場合に、第１グループ空調負荷を賄うだけの流量の熱媒体を第１グループに流通させると、第２グループへの熱媒体の流通量が第２グループ空調負荷を賄うだけの流量よりも過剰となる。よって、第１グループへの熱媒体の流通量として必要量を確保するためには、第２グループへの過剰な熱媒体を、第２グループバイパス路３４ａを通して第２空調部２ｂをバイパスさせることが求められる。そこで、制御部４が、第１グループの第１空調負荷と第２グループの空調負荷との負荷状況に基づいて、第２バイパス流量調整弁３５にて第２グループバイパス路３４ａにおけるバイパス流量を調整している。
【００５３】
制御部４は、第２グループ空調負荷が低下し且つ第１グループにおける第１空調部２ａの個別空調負荷が第３設定値以上の場合に、第２バイパス流量調整弁３５にて第２グループバイパス路３４ａにおけるバイパス流量を増加側に調整する。例えば、第２空調部２ｂの個別空調負荷が１つでも低下すると、制御部４が、第２グループ空調負荷が低下していると判別できる。また、例えば、第１空調部２ａの個別空調負荷が１つでも第３設定値以上の状態で設定時間継続すると、制御部４が、第１グループにおける個別空調負荷が第３設定値以上であると判別できる。第３設定値は、例えば、第１取込流量調整弁５の開閉状態（調整状態）を、第１空調部２ａへの熱媒体の流通量が最大流通量となる開閉状態に調整していることに相当する。
【００５４】
第２グループ空調負荷が低下し且つ第１グループにおける第１空調部２ａの個別空調負荷が第３設定値以上となると、第２グループに過剰な熱媒体が流通されることが想定されるとして、第２バイパス流量調整弁３５にて第２グループバイパス路３４ａにおけるバイパス流量を増加側に調整している。これにより、第１グループへの熱媒体の流通量として必要量を十分に確保しながら、第２グループへの過剰な熱媒体を第２グループバイパス路３４ａに流通させて第２空調部２ｂをバイパスさせることができる。
【００５５】
また、制御部４は、第２グループ空調負荷が増加し且つ第１グループにおける第１空調部２ａの個別空調負荷が第４設定値以下の場合に、第２バイパス流量調整弁３５にて第２空調部バイパス路３４におけるバイパス流量を減少側に調整する。例えば、第２空調部２ｂの個別空調負荷が１つでも増加すると、制御部４が、第２グループ空調負荷が増加していると判別できる。また、例えば、第１空調部２ａの個別空調負荷の全てが第４設定値以下の状態で設定時間継続すると、制御部４が、第２グループにおける個別空調負荷が第２設定値以下であると判別できる。第４設定値は、例えば、第１取込流量調整弁５の開閉状態（調整状態）を、第１空調部２ａへの熱媒体の流通量が最大流通量に対して８０％となる開閉状態に調整していることに相当する。
【００５６】
第２グループ空調負荷が増加し且つ第１グループにおける第１空調部２ａの個別空調負荷が第４設定値以下となると、第２グループへの過剰な熱媒体の流通量が減少されることが想定されるとして、第２バイパス流量調整弁３５にて第２グループバイパス路３４ａにおけるバイパス流量を減少側に調整している。これにより、第２グループバイパス路３４ａに必要以上の熱媒体が流通するのを抑制して、複数の空調部２ｂの夫々に対する熱媒体の流量量として必要量を適切に確保している。
【００５７】
以上の如く、制御部４は、第１グループ空調負荷と第２グループ空調負荷との負荷状況に基づいて、第２バイパス流量調整弁３５にて第２グループバイパス路３４ａにおけるバイパス流量を増加側又は減少側に調整することで、第２グループへの過剰な熱媒体を適切に第２空調部２ｂをバイパスさせながら、第１グループへの熱媒体の流通量も第２グループへの熱媒体の流通量も必要量を適切に確保できる。
【００５８】
〔別実施形態〕
（１）上記実施形態において、第１グループの第１空調部２ａにて熱媒体を利用するに当たり、図３に示すように、第１空調部２ａの二次側に複数の二次側第１空調部４２を備え、第１空調部２ａにて熱媒体から得た熱を複数の二次側第１空調部４２の夫々にて利用して冷房運転や暖房運転等の空調運転を行うこともできる。図３では、図２において第１空調部２ａの二次側に複数の二次側空調部４２を備えた例を示しており、第１空調部２ａのうち、１つの第１空調部２ａのみ図示している。
【００５９】
第１空調部２ａと複数の二次側第１空調部４２との間で熱搬送体を循環させる循環路４１及び循環ポンプ４４が備えられ、第１空調部２ａにおいて熱媒体と熱交換された熱搬送体が複数の二次側第１空調部４２の夫々に循環供給される。複数の二次側第１空調部４２の夫々では、循環路４１にて供給される熱搬送体を取り込み、その取り込んだ熱搬送体を利用して冷房運転や暖房運転等の空調運転を実行可能に構成されている。複数の二次側第１空調部４２の夫々には、取り込む熱搬送体の流量を調整自在な二次側第１取込流量調整弁４３（二方弁）が備えられ、自己の個別空調負荷に応じて、その自己の個別空調負荷を賄えるだけの熱搬送体を取り込むように、二次側第１取込流量調整弁４３の開閉状態を調整している。
【００６０】
この図３に示す場合には、演算部９が、複数の第１空調部２ａの夫々における第１取込流量調整弁５の開閉状態（調整状態）だけでなく、複数の二次側第１空調部４２の夫々における複数の二次側第１取込流量調整弁４３の開閉状態（調整状態）も取得しており、複数の第１空調部２ａの夫々における個別空調負荷だけでなく、複数の二次側第１空調部４２の夫々における個別空調負荷も求めることができる。そこで、制御部４は、複数の二次側第１空調部４２の夫々における個別空調負荷により、複数の第１空調部２ａの夫々における個別空調負荷を微調整して、その微調整後の第１グループ空調負荷が低下しているか又は増加しているかを判別することができる。これにより、制御部４は、複数の二次側第１空調部４２の夫々における個別空調負荷という細かな空調負荷の変化も捉えて、複数の第１空調部２ａの夫々における個別空調負荷を微調整し、その結果、バイパス流量調整弁８及び第２バイパス流量調整弁３５の開閉状態の微調整も行える。
【００６１】
また、制御部４は、複数の第１空調部２ａの夫々における個別空調負荷の変化に応じて、バイパス流量調整弁８及び第２バイパス流量調整弁３５の開閉状態を調整しながら、複数の二次側第１空調部４２の夫々における個別空調負荷の変化に応じて、バイパス流量調整弁８及び第２バイパス流量調整弁３５の開閉状態を微調整することもできる。このように、制御部４は、複数の第１空調部２ａの夫々における個別空調負荷だけでなく、複数の二次側第１空調部４２の夫々における個別空調負荷をも加味して、バイパス流量調整弁８及び第２バイパス流量調整弁３５の開閉状態の微調整を行うことができる。
【００６２】
図示は省略するが、第２空調部２ｂについても、図３の第１空調部２ａと同様に、第２空調部２ｂの二次側に複数の二次側第２空調部を備え、第２空調部２ｂにて熱媒体から得た熱を複数の二次側第２空調部の夫々にて利用して冷房運転や暖房運転等の空調運転を行うこともできる。この場合も、複数の二次側第２空調部の夫々に、取り込む熱搬送体の流量を調整自在な二次側第２取込流量調整弁を備え、自己の個別空調負荷に応じて、その自己の個別空調負荷を賄えるだけの熱搬送体を取り込むように、二次側第２取込流量調整弁の開閉状態を調整することができる。これにより、制御部４は、複数の第２空調部２ｂの夫々における個別空調負荷だけでなく、複数の二次側第２空調部の夫々における個別空調負荷をも取得できることから、上述の第１グループの場合と同様に、複数の第２空調部２ｂの夫々における個別空調負荷だけでなく、複数の二次側第２空調部の夫々における個別空調負荷をも加味して、バイパス流量調整弁８及び第２バイパス流量調整弁３５の開閉状態の微調整を行うことができる。
【００６３】
上述の如く、第１空調部２ａの二次側に複数の二次側第１空調部を備える場合に、例えば、冷媒の自然循環により空調運転を行う空調部等、各種の空調部を適用できる。第２空調部２ｂの二次側に複数の二次側第２空調部を備える場合にも、例えば、第２空調部２ｂとしての空調機から送風される空気のうち、個別空調負荷に応じて空調対象空間への送風量を変更させる可変風量式の空調部等、各種の空調部を適用できる。このように、第１空調部２ａや第２空調部２ｂの二次側に複数の二次側空調部を備える場合に、どのような空調部にて構成するかは適宜変更が可能である。また、このときの熱搬送体についても、水、冷媒、空気等、各種の熱搬送体を適用可能である。
【００６４】
以上の如く、制御部４は、複数の第１空調部２ａの夫々における個別空調負荷、及び、複数の二次側第１空調部４２の夫々における個別空調負荷に基づいて、第１グループにおける空調負荷がどのような空調負荷となっているかを把握できる。また、複数の第２空調部２ｂの夫々における個別空調負荷、及び、複数の二次側第２空調部の夫々における個別空調負荷に基づいて、第２グループにおける空調負荷がどのような空調負荷となっているかを把握できる。このように把握した第１グループにおける空調負荷と第２グループにおける空調負荷との負荷状況に基づいて、制御部４は、バイパス路７及び第２グループバイパス路３４ａによる熱媒体のバイパス流量を調整することができる。
【００６５】
ちなみに、上述の場合において、演算部９は、第１取込流量調整弁５の開閉状態に代えて、複数の二次側第１取込流量調整弁４３の開閉状態を取得することができ、複数の二次側第１空調部４２の夫々における個別空調負荷から複数の第１空調部２ａの夫々における個別空調負荷を求めることができる。また、演算部９は、第２取込流量調整弁６の開閉状態に代えて、二次側第２取込流量調整弁の開閉状態を取得することができ、複数の二次側第２空調部の夫々における個別空調負荷から複数の第２空調部２ａの夫々における個別空調負荷を求めることができる。
【００６６】
（２）上記実施形態において、制御部４がバイパス流量調整弁８にてバイパス流量を増加側に調整するための条件については、適宜変更が可能である。
例えば、第１グループ空調負荷が低下していると判別するための条件について、複数の第１空調部２ａの個別空調負荷の平均値等が低下している、又は、第１グループ全体における第１グループ空調負荷の低下量が低下側設定値以上であると、第１グループ空調負荷が低下していると判別することもできる。そして、第２グループにおける個別空調負荷が第１設定値以上であると判別するための条件についても、例えば、複数の第２空調部２ｂの個別空調負荷の平均値等が第１設定値以上であると、第２グループにおける第２空調部２ｂの個別空調負荷が第１設定値以上であると判別することもできる。
【００６７】
（３）上記実施形態において、制御部４がバイパス流量調整弁８にてバイパス流量を減少側に調整するための条件については、適宜変更が可能である。
例えば、第１グループ空調負荷が増加していると判別するための条件について、複数の第１空調部２ａの個別空調負荷の平均値等が増加している、又は、第１グループ全体における第１グループ空調負荷の増加量が増加側設定値以上であると、第１グループ空調負荷が増加していると判別することもできる。そして、第２グループにおける第２空調部２ｂの個別空調負荷が第２設定値以下であると判別するための条件についても、例えば、複数の第２空調部２ｂの個別空調負荷の平均値等が第２設定値以下であると、第２グループにおける第２空調部２ｂの個別空調負荷が第２設定値以下であると判別することもできる。
【００６８】
（４）上記第２実施形態において、制御部４が第２バイパス流量調整弁３５にて第２グループバイパス路３４ａにおけるバイパス流量を調整するための条件については、第１グループへの熱媒体の流通量として必要量を確保しながら、第２グループへの過剰な熱媒体を第２空調部２ｂをバイパスさせることができる条件であればよく、適宜変更が可能である。
【符号の説明】
【００６９】
１          熱源機
２          空調部
２ａ        第１空調部
２ｂ        第２空調部
３          循環供給部
４          制御部（バイパス流量調整部）
５          第１取込流量調整弁（取込流量調整部）
６          第２取込流量調整弁（取込流量調整部）
６ａ        第２取込流量調整弁（取込流量調整部）
７          バイパス路（バイパス部）
８          バイパス流量調整弁（バイパス流量調整部）
９          演算部
【図１】
0006714395.tif 000002
【図２】
0006714395.tif 000003
【図３】
0006714395.tif 000004